(57)【要約】      （修正有）【課題】  引留作業の効率化を図れ、鳥該のおそれのない光ファイバーケーブルの引留め状態を得る。【解決手段】  建物などの物品に設けた引留フックａに係止する係止孔３を長手方向の一端に備え、しかも、長手方向に沿う両端を交互に開口して挿通切欠６，…を並設してジグザグ状とした帯状平板体で引留具本体１と、この引留具本体１の前記各挿通切欠６，…に順次挿通して該本体１に係止する光ファイバーケーブルｃ部分を套装する軟質製の保護カバー２とで構成する。【選択図】  図１
2005275084.tif 000002
【特許請求の範囲】
【請求項１】
建物などの物品に設けた引留フックに係止する係止孔を長手方向の一端に備え、しかも、長手方向に沿う両端を交互に開口して挿通切欠を並設してジグザグ状とした帯状平板体で成る引留具本体と、この引留具本体の前記各挿通切欠に順次挿通して該本体に係止する光ファイバーケーブル部分を套装する軟質製の保護カバーとで成る、光ファイバーケーブル用引留具。
【発明の詳細な説明】
【技術分野】
【０００１】
本発明は、保護線によって保護した光ファイバと支持線を一体的にして構成した光ファイバケーブルを引込む際に用いる引留具に関するものである。
【背景技術】
【０００２】
例えば、特許文献１で示すように、建物などに設けたフックなどの受止材に掛止する掛止部を一端に設けた引留具本体に係止部を設け、該係止部に、支持線の、光ファイバと剥離した部分を係止し、光ファイバを間接的に引き留めるようにした構造のものが一般である。
【０００３】
【特許文献１】特開２００１−３７０５４公報
【発明の開示】
【発明が解決しようとする課題】
【０００４】
従来例は、係止部に係止する際の折り曲げ（屈曲）や接触（圧接）或いは経時変化などにより光ファイバが損傷を受け、該損傷による特性の変化を防ぐために、支持線と光ファイバを部分的に剥離し、特性の変化に関係のない支持線側を引留具本体に係止、組付けるものであるが、引留め作業に際し、支持線と光ファイバを互いに剥離しなければならず、光ファイバに損傷を与えないようにその作業をしなければならないので煩雑であり、また、引留め状態時には、保護線によって保護されているとはいえ、光ファイバは部分的に余長分となって引留具本体に添設された常態となるため、鳥などが接触して損傷を受け、その接触を防ぐため、該余長部分の保護手段を必要としている。
【０００５】
本発明は、従来例のこれら欠点に着目し、引留作業効率を図り、しかも、鳥対策にも充分答え得る引留具を提供すべく創案したものである。
【課題を解決するための手段】
【０００６】
建物などの物品に設けた引留フックに係止する係止孔を長手方向の一端に備え、しかも、長手方向に沿う両端を交互に開口して挿通切欠を並設してジグザグ状とした帯状平板体で成る引留具本体と、この引留具本体の前記各挿通切欠に順次挿通して該本体に係止する光ファイバーケーブル部分を套装する軟質製の保護カバーとで成る構成としたものである。
【発明の効果】
【０００７】
本発明によれば、光ファイバケーブルの所要の長さ部分を保護カバーで套装し、該套装した部分を、いわばジグザグに並設した挿通切欠に順次挿通するだけで当該ケーブルを損傷を与えずに、引留めることができ、従来例のように剥離作業を必要とせず、施工性が優れ、かつ、捩れや引張りに充分対応できる引留具を提供できる。
【実施例】
【０００８】
図面は本発明に係る光ファイバケーブル用引留具の一実施例を示し、図１は使用状態の平面図、図２は使用状態の正面図、図３は引留具本体の斜視図、図４は保護カバーの展開平面図、図５は保護カバー展開底面図、図６は保護カバーの展開正面図、図７は図４の断面図である。
【０００９】
本発明に係る光ファイバケーブル用引留具Ａは鋼板製の引留具本体１と軟質合成樹脂（ゴムでも良い）製の保護カバー２とで構成し、引留具本体１は鋼板をプレス成形して成り、長手方向の一端に、建物その他の物品に設けた引留フックａに係止する係止孔３を備えた帯状主体４の長手方向に沿う両端４´，４´を交互に開口状にして挿通切欠６，…を直線上に並べて設けて全体としてジグザグ状の帯状平板体で構成し、主体４の長手方向に沿って並ぶ挿通切欠６，…中の、主体４の前記係止孔３側の一端の挿通切欠（符号６Ａで示す）と該一端に対応する他の一端側の挿通切欠（符号６Ｂで示す）それぞれの、前記一端又は他の一端側の口縁部に挿通切欠６Ａ又は６Ｂの開口を狭くする突部片７を設け、該挿通切欠６Ａ，６Ｂに係合挿通させた保護カバー２（光ファイバケーブルを套装した）が、これに係止して該挿通切欠６Ａ，６Ｂ延いては他の挿通切欠６，…より抜け出しにくくしてある。
【００１０】
保護カバー２は、中央部片２´ａ，２´´ａと該中央部片２´ａ，２´´ａの長手方向に沿う相対する両側に側部片２´ｂ，２´ｂ´、２´´ｂ，２´´ｂ´を相対して設けた断面溝形（ほぼコの字形）の一対の帯状のカバー構成体２´，２´´を、前記一方の側部片２´ｂ，２´´ｂ´においてヒンジ８で互いに接続して各カバー構成体２´，２´´の内側を光ファイバケーブルｃの係合部９，９´と成し、この係合部９，９´を内面側で構成する、各カバー構成体２´，２´´の前記中央部片２´ａ，２´´ａの外面にそれぞれの長手方向に沿わせて無数の突条１０，…を列設し、また、一方のカバー構成体２´の前記他の一方の側部片２´ｂの先端面には止着手段の雄部片１１を、他の一方のカバー構成体２´´の前記他の一方の側部片２´´ｂの先端面には前記雄部片１１が嵌入、係止する、止着手段の雌部片１２を、それぞれ長手方向に沿って設けたものである。
【００１１】
そして、この保護カバー２の、カバー構成体２´，２´´の係合部９，９´に光ファイバケーブルｃを係合するようにしてヒンジ８においてカバー２を折り曲げて止着手段である雌雄の部片１１，１２を互いに止着すると、光ファイバーケーブルｃは該保護カバー２の長さに対応して部分的に挟持、套装される。
【００１２】
光ファイバーケーブルｃを套装した、この保護カバー２を前記引留本体１に設けた挿通切欠６Ａ，６Ｂ，６…に本体１の一端側に位置する挿通切欠６Ａ側より順次に、また、本体１の表面と裏面に対して交互に配するようにして挿通させると、引留具本体１は保護カバー２を組付けた光ファイバケーブルｃ部分に組付けられ、該状態で引留具本体１を係止孔３においてフックａに掛止すると、光ファイバケーブルｃは該フックａを装置した物品に引留められるのである。
【００１３】
なお、光ファイバーケーブルｃを套装した状態（因みに、ここでいう「套装」は保護カバー２の存在によってケーブルｃが引留具本体１に直接接触しない状態を意味することは勿論で、実施例の保護カバー２はケーブルｃを一対の部材で挟持し、カバー２の相対する面が本体１側の挿通切欠６，６Ａ，６Ｂの鋭利な縁部に接触してケーブルｃの接触を阻止し、接触による損傷を防いでいる）時には、保護カバー２に形成した無数の突条１０，…が本体１に、すなわち、挿通切欠６，６Ａ，６Ｂの縁部に係止して、風圧などによる引張り作用による離脱を防いでいる。
【図面の簡単な説明】
【００１４】
【図１】使用状態の平面図。
【図２】使用状態の正面図。
【図３】引留具本体の斜視図。
【図４】保護カバーの展開平面図。
【図５】保護カバー展開底面図。
【図６】保護カバーの展開正面図。
【図７】図４の断面図。
【符号の説明】
【００１５】
１      引留具本体
２      保護カバー
３      係止孔
６      挿通切欠
ａ      引留フック
ｃ      光ファイバーケーブル
【図１】
2005275084.tif 000003
【図２】
2005275084.tif 000004
【図３】
2005275084.tif 000005
【図４】
2005275084.tif 000006
【図５】
2005275084.tif 000007
【図６】
2005275084.tif 000008
【図７】
2005275084.tif 000009